(57)【要約】【課題】  通信デバイスにおけるシナリオを同期する方法およびシステムを提供する。【解決手段】  通信デバイスにおけるシナリオを同期する方法およびシステムは、ユーザが、補助ディスプレイから開始または指示されたタスクを、主要ディスプレイで完了することを可能にする。補助ディスプレイは、時刻、日付、バッテリ寿命、信号強度、新着メッセージ、日程の注意喚起などの有用な情報への迅速なアクセスを提供する。通信デバイス（二つ折り跳ね上げ型デバイスなど）を開いて、主要ディスプレイを利用する際、ユーザは、開始されたタスクを完了するために、特定のアプリケーションにナビゲートする必要がない。【選択図】  図６
2005295549.tif 000002
【特許請求の範囲】
【請求項１】
通信デバイスの主要ディスプレイと補助ディスプレイ間でシナリオを同期する方法であって、
前記通信デバイスでイベントを受け取るステップと、
前記イベントに関連する情報を前記補助ディスプレイに表示するステップと、
前記イベントに対応するアプリケーションを前記主要ディスプレイに起動するステップと、
前記主要ディスプレイが利用される際に、前記補助ディスプレイに表示された前記情報に加えて、前記アプリケーションに関連する機能と情報を前記主要ディスプレイで利用できるように、前記イベントに関連する情報を前記主要ディスプレイに表示するステップと
を備えることを特徴とする方法。
【請求項２】
前記通信デバイスは、二つ折り跳ね上げ型のデバイスであることを特徴とする請求項１に記載の方法。
【請求項３】
前記主要ディスプレイを利用できるように前記通信デバイスを開くステップをさらに備えることを特徴とする請求項２に記載の方法。
【請求項４】
前記イベントは、タスク、通知、警告、およびユーザによって起動されたアプリケーションの少なくとも１つを含むことを特徴とする請求項１に記載の方法。
【請求項５】
前記イベントに関連する前記情報を前記補助ディスプレイから棄却するステップをさらに備えることを特徴とする請求項１に記載の方法。
【請求項６】
前記補助ディスプレイ上で前記イベントに関連する情報と対話するステップをさらに備えることを特徴とする請求項１に記載の方法。
【請求項７】
前記主要ディスプレイ上で前記イベントに関連する情報と対話するステップをさらに備えることを特徴とする請求項１に記載の方法。
【請求項８】
通信デバイスにおけるシナリオ同期のシステムであって、
補助ディスプレイと、
前記補助ディスプレイに結合された主要ディスプレイと、
前記通信デバイスでイベントが発生すると起動するアプリケーションと
を備え、
前記イベントに関連する情報が前記補助ディスプレイに表示され、
前記主要ディスプレイが利用される際に、前記補助ディスプレイに表示される前記情報に加えて、前記アプリケーションに関連する機能と情報を前記主要ディスプレイで利用することができることを特徴とするシステム。
【請求項９】
前記主要ディスプレイは前記補助ディスプレイよりも大きいことを特徴とする請求項８に記載のシステム。
【請求項１０】
前記補助ディスプレイは、前記通信デバイスの外部表面に配置されていることを特徴とする請求項８に記載のシステム。
【請求項１１】
前記通信デバイスは二つ折り跳ね上げ型のデバイスであることを特徴とする請求項８に記載のシステム。
【請求項１２】
前記主要ディスプレイは、前記通信デバイスが開かれたときに利用することができることを特徴とする請求項１１に記載のシステム。
【請求項１３】
前記イベントは、タスク、通知、警告、およびユーザによって起動されたアプリケーションの少なくとも１つを含むことを特徴とする請求項８に記載のシステム。
【請求項１４】
前記補助ディスプレイに表示された内容を操作するための、前記補助ディスプレイに連結された第１のハードウェアのセットをさらに備えることを特徴とする請求項８に記載のシステム。
【請求項１５】
前記主要ディスプレイに表示された内容を操作するための、前記主要ディスプレイに連結された第２のハードウェアのセットをさらに備えることを特徴とする請求項８に記載のシステム。
【請求項１６】
通信デバイスの主要ディスプレイと補助ディスプレイ間でシナリオを同期するコンピュータプログラムが格納されたコンピュータ可読媒体であって、該コンピュータプログラムは、コンピュータによって実行されると、
前記通信デバイスでイベントを受け取るステップと、
前記イベントに関連する情報を前記補助ディスプレイに表示するステップと、
前記イベントに対応するアプリケーションを前記主要ディスプレイに起動するステップと、
前記主要ディスプレイが利用される際に、前記補助ディスプレイに表示された前記情報に加えて、前記アプリケーションに関連する機能と情報を前記主要ディスプレイで利用できるように、前記イベントに関連する情報を前記主要ディスプレイに表示するステップと
を行う命令を備えることを特徴とするコンピュータ可読媒体。
【請求項１７】
前記イベントに関連する情報を前記補助ディスプレイで棄却するステップをさらに備えることを特徴とする請求項１６に記載のコンピュータ可読媒体。
【請求項１８】
前記イベントは、タスク、通知、警告、およびユーザによって起動されたアプリケーションの少なくとも１つを含むことを特徴とする請求項１６に記載のコンピュータ可読媒体。
【請求項１９】
前記通信デバイスは、二つ折り跳ね上げ型のデバイスであることを特徴とする請求項１６に記載のコンピュータ可読媒体。
【請求項２０】
通信デバイスの主要ディスプレイと補助ディスプレイ間でシナリオを同期するシステムであって、
前記通信デバイスでイベントを受け取る手段と、
前記イベントに関連する情報を前記補助ディスプレイに表示する手段と、
前記イベントに対応するアプリケーションを前記主要ディスプレイに起動する手段と、
前記主要ディスプレイが利用される際に、前記補助ディスプレイに表示された前記情報に加えて、前記アプリケーションに関連する機能と情報を前記主要ディスプレイで利用できるように、前記イベントに関連する情報を前記主要ディスプレイに表示する手段と
を備えることを特徴とするシステム。
【発明の詳細な説明】
【背景技術】
【０００１】
モバイル通信デバイス（移動体通信機器、携帯電話器）は、通例、ユーザに情報を伝達する主要ディスプレイ（primary  display: 主ディスプレイとも称されている）と補助ディスプレイ(secondary display：副ディスプレイとも称されている)の両方を備えている。例えば、二つ折り跳ね上げ型（clamshell flip-style）モバイルデバイスは、大抵の場合、デバイスの外側にある補助ディスプレイと、デバイスを開いたときに見ることができるより大きな主要ディスプレイがある。ユーザは、補助ディスプレイから即座に情報を収集して、デバイスを開かずにデバイスの状態を判断することができる。例えば、ユーザがデバイスを開いて電話に出るかを選択できるように発信元の電話番号が補助ディスプレイに表示される。補助ディスプレイには多数の潜在的なハードウェア／ソフトウェアの対話とユーザシナリオ（ユーザの一連の行動）が関連するため、ユーザエクスペリエンス（ユーザ体験）の向上には、効率的で直感的な対話の必要性が不可欠である。
【発明の開示】
【課題を解決するための手段】
【０００２】
本発明は、ユーザが、補助ディスプレイから開始または指示されたタスクを主要ディスプレイで完了することを可能にする、モバイル通信デバイスにおけるシナリオの同期の方法およびシステムを対象とする。補助ディスプレイは、時刻、日付、バッテリ寿命、信号強度、新着メッセージ、および日程の注意喚起(calendar reminder)などの有用な情報への迅速なアクセスを提供する。通信デバイス（例えば二つ折り跳ね上げ型デバイス）を開いて主要ディスプレイを利用する際、ユーザは、開始されたタスクを完了するために特定のアプリケーションにナビゲートする必要がない。例えば、補助ディスプレイから働きかけられていない日程の注意喚起が、通信デバイスが開かれた時に主要ディスプレイに表示される。
【０００３】
本発明の一態様では、補助ディスプレイと主要ディスプレイを有する通信デバイスでイベント（事象、出来事）が受け取られる。そのイベントに関連する情報が補助ディスプレイに表示される。イベントに対応するアプリケーションが主要ディスプレイで起動される。イベントに関連する情報が主要ディスプレイに表示される。補助ディスプレイに表示される情報に加えて、主要ディスプレイを利用する際には、アプリケーションに関連する機能と情報を主要ディスプレイ上で利用することができる。
【０００４】
本発明の別の態様では、通信デバイスのシナリオ同期のシステムは、補助ディスプレイ、補助ディスプレイに結合された主要ディスプレイ、および、アプリケーションを含む。アプリケーションは、通信デバイスでイベントが発生すると起動される。イベントに関連する情報が補助ディスプレイに表示される。主要ディスプレイを利用する際には、補助ディスプレイに表示される情報に加えて、アプリケーションに関連する機能および情報を主要ディスプレイ上で利用することができる。
【発明を実施するための最良の形態】
【０００５】
簡潔に述べると、通信デバイスでシナリオを同期する方法およびシステムは、ユーザが、補助ディスプレイで開始または指示されたタスクを主要ディスプレイで完了することを可能にする。補助ディスプレイは、時刻、日付、バッテリ寿命、信号強度、新着メッセージ、および日程（予定、スケジュール）の注意喚起などの有用な情報への迅速なアクセスを提供する。通信デバイス（二つ折り跳ね上げ型デバイスなど）を開いて主要ディスプレイにアクセスする際、ユーザは、すでに開始されたタスクを完了するために特定のアプリケーションにナビゲートする必要がない。例えば、補助ディスプレイから働きかけられていない日程の注意喚起が、通信デバイスが開かれた時に主要ディスプレイに表示される。
【０００６】
例示的動作環境
図１は、本発明を実施する例示的通信デバイスの一実施形態を表す機能ブロック図である。本発明の一実施形態では、通信デバイス１００は、携帯情報端末（ＰＤＡ）、スマートフォン(高度自動機能電話)などのモバイル通信デバイスとして実施される。通信デバイス１００としては、ハンドヘルドコンピュータ（手持ちサイズのコンピュータ）、タブレットコンピュータ、パーソナルコンピュータ、マルチプロセッサシステム、マイクロプロセッサを利用した、あるいはプログラム可能な家庭電化製品、ネットワークＰＣ、装着型コンピュータなども可能である。
【０００７】
通信デバイス１００は、図１よりも多くの構成要素を含むことができる。しかし、本図の構成要素は、本発明を実施する例示的実施形態を開示するのに十分である。
【０００８】
本図に示すように、通信デバイス１００は、プロセッサ１０２、メモリ１０４、ディスプレイ１０６、キーパッド１０８を含む。メモリ１０４には、一般に、揮発性メモリ（ＲＡＭなど）と不揮発性メモリ（ＲＯＭ、フラッシュメモリなど）の両方が含まれる。通信デバイス１００は、マイクロソフト社のＷｉｎｄｏｗｓ（登録商標）ＣＥオペレーティングシステムまたは他の同様のオペレーティングシステムなどのオペレーティングシステム１１０を含み、このオペレーティングシステム１１０は、メモリ１０４に常駐し、プロセッサ１０２で実行される。キーパッド１０８は、プッシュボタン式の数値ダイヤルパッド（一般的な電話機などの）、あるいはマルチキーキーボード（従来のキーボードなど）等である。ディスプレイ(表示部)１０６は、液晶ディスプレイ、あるいはモバイル通信デバイスで一般に使用される他のタイプのディスプレイとすることができる。例えば、ディスプレイ１０６は、タッチセンシティブ式とすることができ、その場合はＦＥ(書式制御文字)言語ストロークの入力を可能にする入力装置としても機能する。一実施形態では、通信デバイス１００は、主要ディスプレイと補助ディスプレイを含む。
【０００９】
１つまたは複数のアプリケーションプログラム１１２が、メモリ１０４にロードされ、オペレーティングシステム１１０上で実行される。アプリケーションプログラムの例には、電話ダイヤルプログラム、コンテンツマネジャ、電子メールプログラム、日程計画プログラム(スケジューリングプログラム)、ワードプロセッシングプログラム(文書処理プログラム)、表計算プログラム、スマートフィルタ(迷惑メールをフィルタリングするプログラム)などが含まれる。通信デバイス１００は、メモリ１０４内に不揮発性ストレージ１１４も含む。不揮発性ストレージ１１４は、通信デバイス１００の電源が切られても失われるべきでない恒久的情報を記憶するために使用することができる。アプリケーションプログラム１１２は、電子メールアプリケーションで使用される電子メールまたは他のメッセージ、コンテンツマネジャによって使用される連絡先情報やデータベースなど、日程計画プログラムで使用される面会予定情報、ワードプロセッシングアプリケーションで使用される文書などのストレージ１１４の情報を使用し、ストレージ１１４にそのような情報を記憶することができる。同期アプリケーションも通信デバイス１００に常駐することができ、ホストコンピュータに常駐する対応する同期アプリケーションと対話して、ストレージ１１４に記憶された情報を、ホストコンピュータに記憶された対応する情報と同期された状態に保つようにプログラムされる。
【００１０】
通信デバイス１００は、１つまたは複数のバッテリとして実施することが可能な電源１１６も含む。電源１１６はさらに、バッテリを補助または充電する、ＡＣ（交流）アダプタや電力が供給されるドッキングクレードル(docking cradle)などの外部電源を含むことができる。
【００１１】
通信デバイス１００は、本図では、ＬＥＤ（発光ダイオード）１１８とオーディオインタフェース１２０の２タイプの外部通知機構とともに示される。これらのデバイスは、電源１１６に直接連結することができ、起動すると、バッテリ電力を節減するためにプロセッサ１０２および他の構成要素の電源が切れることがあっても、それらの通知機構で指示される時間にわたり電源の入った状態を保つ。ＬＥＤ１１８は、ユーザが何らかの操作を行ってデバイスに電源が入ったステータスを示すまで無期限に電源の入った状態を保つようにプログラムすることができる。オーディオインタフェース１２０は、ユーザに可聴信号(音響信号)を提供し、ユーザから可聴信号を受け取るために使用される。例えば、オーディオインタフェース１２０は、電話での会話を助けるためなどに、可聴出力を提供するスピーカと、可聴入力を受け取るマイクロフォンに結合することができる。
【００１２】
通信デバイス１００は、無線周波通信を送受信する機能を行う無線インタフェース層１２２も含むことができる。無線インタフェース層１２２は、通信事業者またはサービスプロバイダを介して通信デバイス１００と外界との無線接続を助ける。無線インタフェース層１２２との間の送信は、オペレーティングシステム１１０の制御下で行われる。すなわち、無線インタフェース層１２２によって受け取られる通信は、オペレーティングシステム１１０を介してアプリケーションプログラム１１２に伝搬することができ、その逆も同様である。
【００１３】
無線インタフェース層１２２は、通信デバイス１００がネットワークなどを介して他のコンピューティングデバイスと通信することを可能にする。無線インタフェース層１２２は、通信媒体の一例である。通信媒体は、通例、コンピュータ可読命令、データ構造、プログラムモジュール、または他のデータにより、搬送波や他の搬送機構などの変調データ信号として実施されることができ、任意の情報伝達媒体を含む。用語「変調データ信号（modulated data signal）」は、信号中に情報を符号化するような方式で、特性の１つまたは複数を設定または変化させた信号を意味する。限定ではなく例として、通信媒体には、有線ネットワークや直接配線接続などの有線媒体と、音波、ＲＦ(無線周波数)、赤外線、他の無線媒体などの無線媒体が含まれる。本明細書で使用される用語「コンピュータ可読媒体」は、記憶媒体と通信媒体の両方を含む。
【００１４】
主要ディスプレイと補助ディスプレイ間のシナリオ同期
シナリオの同期は、通信デバイスのユーザが、補助ディスプレイから開始された所与のタスクを主要ディスプレイで容易に完了できるようにすることを特徴とする。通信デバイスでイベントが発生し、そのイベントに関連する情報が補助ディスプレイに表示される。イベントは、例えば、電話アプリケーション（着信またはメッセージ、発信者の識別など）、情報アプリケーション（日程の注意喚起など）、あるいはユーザによって開始されたアプリケーション（カメラや音楽のアプリケーションなど）に関連する。ユーザは、そのイベントに関連するタスクを補助ディスプレイで開始することができる。デバイスは、開かれると自動的にユーザインタフェース（ＵＩ）内の該当する場所にナビゲートし、ユーザは、開始されたタスクを完了することができる。ユーザには、タスクに関連するより多くの情報と機能へのアクセスも提供される。
【００１５】
例えば、通知（notification）が補助ディスプレイ上でまだアクティブである間に通信デバイスが開かれた場合に、その通知は、より多くの情報とともに主要ディスプレイに表示される。主要ディスプレイは、ユーザに、通知に応答するか、または警告を棄却する（dismiss）機会を提供する。ユーザがデバイスを開く前に警告を棄却した場合、主要ディスプレイは、それに応じて更新される。
【００１６】
シナリオの同期は、補助ディスプレイを備える通信デバイスで容易で直感的なＵＩ（ユーザインターフェイス）の操作（navigation）を可能にする。より複雑で豊富な機能を含むデバイスでは、スマートな操作は、高度なユーザエクスペリエンスを向上させ、維持するのに不可欠である。シナリオの同期は、ユーザに、適切な情報と機能への継ぎ目のないアクセスを与える。シナリオの同期は、特に、再生リストを見つける、カメラ設定を調整するなどのタスクが通知への応答と同様に一般的になりつつあるため、イメージングや音楽などの追加的な機能が通信デバイスに含まれる場合にさらに重要になる。
【００１７】
図２に、通信デバイスの補助ディスプレイと主要ディスプレイ間でシナリオを同期するシステムの例示的な機能ブロック図を示す。通信デバイス２００は、補助ディスプレイ２１０、主要ディスプレイ２２０、補助ディスプレイ２１０に関連するハードウェアボタン２３０、主要ディスプレイ２２０に関連するハードウェアボタン２４０、プロセッサ２５０、および、メモリ２６０を含む。補助ディスプレイ２１０は、主要ディスプレイ２２０と連結される。ハードウェアボタン２３０は、補助ディスプレイ２１０に連結される。ハードウェアボタン２４０は、主要ディスプレイ２２０に連結される。プロセッサ２５０とメモリ２６０は、主要ディスプレイ２２０と補助ディスプレイ２１０に連結される。メモリ２６０は、ストレージ２７０と、アプリケーション２８０と、プロセッサ２５０で実行され、アプリケーション２８０を実行するオペレーティングシステム２９０とを含む。
【００１８】
通信デバイス２００でイベント（事象、出来事、事件）が発生すると、そのイベントに対応するアプリケーション２８０が起動される。イベントには、通知（着信など）、警告（日程の注意喚起など）、またはユーザによって起動されたアプリケーション（メディアアプリケーションなど）などの補助ディスプレイから開始されたタスクが含まれる。イベントに関連付けられたイベント識別子が補助ディスプレイ２１０に表示されて、そのイベントが発生したことをユーザに伝える。ユーザは、ハードウェアボタン２３０を操作して、補助ディスプレイ２１０でアプリケーション２８０と対話することができる。あるいは、ユーザは、通信デバイス２００を開いて、主要ディスプレイ２２０を利用することもできる。
【００１９】
ユーザが通信デバイス２００（二つ折り跳ね上げ型デバイスなど）を開くと、主要ディスプレイ２２０でアプリケーション２８０が起動される。シナリオの同期は、補助ディスプレイ２１０からは利用できない主要ディスプレイ２２０上の機能と情報を利用する機会をユーザに提供する。したがって、ユーザは、ＵＩを通じてナビゲートして必要な情報と機能を見つける必要がない。ユーザは、ハードウェアボタン２４０を操作して、主要ディスプレイ２２０のアプリケーション２８０と対話することができる。
【００２０】
図３に、日程注意喚起プリケーション（calendar reminder）のシナリオ同期に関する、通信デバイス３００のような通信デバイスの、例示的な補助ディスプレイと例示的な主要ディスプレイとを示す。補助ディスプレイ３１０は、通知トレー３２０とステータステキスト３３０を含む。通知トレー３２０は、ユーザが重要な情報を求めて迅速に参照することができるスペースである。通知トレー３２０は、補助ディスプレイ３１０の上部の部分にあり、バッテリ寿命や信号強度のアイコンなどの通知アイコンのための予想可能な場所（predictable place）を提供する。
【００２１】
ステータステキスト３３０は、ユーザの予定表(calendar)に記載された次の面会予定などの情報をユーザに伝えることができる。ステータステキスト３３０は、「バッテリ低下」など、現在の通知を支援するテキストと最新情報を使用して、通知アイコンに関連する追加的な情報も提示することができる。
【００２２】
主要ディスプレイ３４０は、補助ディスプレイ３１０よりも大きい。主要ディスプレイ３４０は、通知トレー３５０とステータステキスト３６０を含む。一実施形態では、通知トレー３５０は、補助ディスプレイ３１０に表示される通知トレー３２０の手本にならう。ステータステキスト３６０は、補助ディスプレイ３１０のステータステキスト３３０で通知された情報にさらに加えられる情報を含む。
【００２３】
通信デバイス３００が通知を受け取ると、その通知に関する情報が補助ディスプレイ３１０に表示される。例えば、本図に示すように、午前９：４５に、迫りつつある午前１０時の面会についての面会予定の通知が補助ディスプレイ３１０に示される。ユーザが補助ディスプレイ３１０からこの通知を棄却（取消）していないので、主要ディスプレイ３４０とシナリオが同期される。主要ディスプレイ３４０のステータステキスト３６０は、その通知に関するより多くの情報（面会の目的と場所）を示す。ユーザには、より多くの機能へのアクセス（メニューソフトキー）も提供される。
【００２４】
シナリオの同期は、新着メッセージの通知（ショートメッセージサービス、マルチメディアメッセージサービス、電子メールなど）、着信、新着音声メール、およびメディアアプリケーションに関連する変更された設定（カメラ、音楽の再生リストなど）等、他の種類の通知にも使用することができる。
【００２５】
図４に、音楽アプリケーションなどのメディアコンテンツのシナリオ同期に関する、通信デバイスの、例示的な補助ディスプレイと主要ディスプレイを示す。補助ディスプレイの場面（screen shot）４００は、通信デバイスがデフォルト状態にあるときの補助ディスプレイを示している。一実施形態では、通信デバイスの所有者の名前がステータステキスト領域に示され、バッテリ寿命、信号強度、着信音の音量、および時刻を伝える通知アイコンが通知トレーに表示されている。
【００２６】
ユーザは、補助ディスプレイの近くにあるハードウェアボタンで、補助ディスプレイの内容と対話（情報のやりとり）することができる。例えば、ハードウェアボタン４０２を押すと、補助ディスプレイのステータステキストが変化して、補助ディスプレイの場面４１０に示すように次の面会予定が示される。ユーザは、補助ディスプレイの場面４２０に示すように、ハードウェアボタン４１２を押して、補助ディスプレイから音楽アプリケーションを開くことができる。
【００２７】
ハードウェアボタン４２２を押すと、補助ディスプレイの場面４３０に示すように、音楽アプリケーションが開き、音楽リストの最初の項目が補助ディスプレイに表示される。本図の例では、音楽リストの最初の項目は「Ｗｏｒｋｏｕｔ  Ｍｉｘ」である。ユーザは、ハードウェアボタン４３２を押して「Ｗｏｒｋｏｕｔ  Ｍｉｘ」を再生することができる。ユーザは、ハードウェアボタン４３４を押して、音楽リストの次の項目を補助ディスプレイで見ることもできる。ハードウェアボタン４３６を押すと、補助ディスプレイは補助ディスプレイの場面４２０に戻る。
【００２８】
ユーザは、通信デバイスを開いて主要ディスプレイを見ることができる。主要ディスプレイの場面４４０は、ユーザの音楽リストで利用できる様々な再生リストを示す。補助ディスプレイの場面４３０から主要ディスプレイの場面４４０への遷移は、シナリオ同期の一例である。ユーザは、主要ディスプレイから所望の音楽再生リストを選択することができる。
【００２９】
補助ディスプレイの場面４５０は、現在再生中の歌と、その歌が関連付けられた対応する再生リストを示す。ユーザは、ハードウェアボタン４５２を押すことにより、歌を一時停止することができる。ユーザは、ハードウェアボタン４５４を押すことにより次の歌に進むか、ハードウェアボタン４５６を押すことにより１つ前の歌に戻ることもできる。
【００３０】
ユーザは、通信デバイスを開いて主要ディスプレイを見ることにより、ハードウェアボタン４５２、４５４、４５６を使用せずに特定の歌を選択することができる。主要ディスプレイの場面４６０は、「Ｗｏｒｋｏｕｔ  Ｍｉｘ」の再生リストで利用できる様々な歌を示す。この例では、それが現在通信デバイスで再生されている再生リストであるため、ユーザは、シナリオの同期で、「Ｗｏｒｋｏｕｔ  Ｍｉｘ」から歌を選択することができる。本図に示すように、ユーザは、再生リストの最初の曲（「Ｓｐｉｎ  Ｍｅ  Ｒｉｇｈｔ．．．」）を選択している。
【００３１】
補助ディスプレイの場面４７０は、再生リスト「Ｗｏｒｋｏｕｔ  Ｍｉｘ」の最初の曲が選択されたことを示す。この例では、ユーザは、ハードウェアボタン４７２を押すことによりこの曲を一時停止している。ハードウェアボタン４７２が押されると、音楽の再生が続行する。ユーザは、ハードウェアボタン４７４を押すことにより、通信デバイスの音楽モードを終了し、次回の面会予定など１つ前の通信デバイスステータスに戻ることができる。ユーザは、ハードウェアボタン４７６を押すことにより、通信デバイスの音楽モードを終了して、次の通信デバイスステータスに進むこともできる。
【００３２】
図５に、カメラアプリケーションなどのメディアコンテンツのシナリオの同期に関する、通信デバイスの、例示的な補助ディスプレイと主要ディスプレイを示す。補助ディスプレイの場面５００は、通信デバイスがデフォルト状態にあるときの補助ディスプレイを示す。ハードウェアボタン５０２を押すと、補助ディスプレイのステータステキストが変化して、補助ディスプレイの場面５１０に示すように次の面会予定を表示する。
【００３３】
ユーザは、ハードウェアボタン５１２を押して、補助ディスプレイからカメラアプリケーションにナビゲートすることができる。次いで、ユーザは、補助ディスプレイの場面５２０に示すように、カメラアプリケーションを起動するように促される。通信デバイスのカメラ機能は、ハードウェアボタン５２２を押すことによって起動される。補助ディスプレイの場面５３０に示すように、ビューファインダあるいはライブプレビュー（生試写）として補助ディスプレイを使用することができる。ユーザは、ハードウェアボタン５３２を押すことにより、通信デバイスを開かずに補助ディスプレイに示される画像を取り込むことができる。ユーザは、ハードウェアボタン５３４および／または５３６を押して、カメラアプリケーションを終了し、次の面会予定など他の通信デバイス機能にアクセスすることもできる。
【００３４】
シナリオの同期により、ユーザは、通信デバイスを開いて主要ディスプレイの場面５４０に対して、補助ディスプレイからは利用できない追加的なカメラ設定をすることができる。例えば、ユーザは、メニューソフトキー５４２を選択して、ズーム機能などのカメラビューファインダ設定を調整することができる。
【００３５】
補助ディスプレイから写真を撮ると、取り込まれた画像が補助ディスプレイの場面５５０に表示される。ユーザは、ハードウェアボタン５５２を押すことにより、取り込まれた画像を棄却し、ライブプレビューに戻ることができる。一実施形態では、ハードウェアボタン５５４および／または５５６を押すと、取り込まれた画像を棄却することなく、補助ディスプレイがライブプレビューに戻る。別の実施形態では、ハードウェアボタン５５４および／または５５６を押すと、ユーザは、最近撮影した画像を補助ディスプレイで見ることができる。
【００３６】
図６は、通信デバイスの主要ディスプレイと補助ディスプレイ間でシナリオを同期するプロセスを説明する動作流れ図である。このプロセスは、通信デバイスの電源が投入され、デフォルト状態で起動するステップ６００で開始する。処理は次いでブロック６１０に進む。
【００３７】
ブロック６１０で、通信デバイスでイベントが発生する。イベントは、通知（着信など）、警告（日程の注意喚起など）、あるいはユーザによって起動されたアプリケーション（メディアアプリケーションなど）など、補助ディスプレイで開始されたタスクである。処理はブロック６２０に続く。
【００３８】
ブロック６２０で、通信デバイスの補助ディスプレイにイベントの識別子が表示される。イベント識別子は、イベントの発生をユーザに知らせる。例えば、日程の注意喚起に関連するイベント識別子は、近づきつつある面会予定の時間と意義を補助ディスプレイに表示することができる。処理は判定ブロック６３０に進む。
【００３９】
判定ブロック６３０で、ユーザが通信デバイスを開いたかどうかの判定が行われる。ユーザが通信デバイスを開いた場合、処理はブロック６４０に進む。ユーザがデバイスを開いていない場合、処理は、ブロック６５０に進む。
【００４０】
ブロック６４０で、イベントに関連するアプリケーションが主要ディスプレイに表示される。例えば、補助ディスプレイでメディアアプリケーションがアクティブである間に通信デバイスが開かれた場合は、そのメディアアプリケーションが主要ディスプレイに表示される。シナリオの同期により、補助ディスプレイからは利用できない、主要ディスプレイの機能と情報を利用する機会がユーザに提供される。したがって、ユーザは、ＵＩを通じてナビゲートして、必要な情報と機能を見つける必要がない。処理はブロック６８０に続く。
【００４１】
ブロック６５０で、ユーザは、補助ディスプレイに関連するハードウェアを使用して、補助ディスプレイに表示された内容と対話する。一実施形態では、このハードウェアには、通信デバイスの表面にあるボタンが含まれる。ユーザは、そのボタンを操作して、補助ディスプレイにアプリケーションを起動し、対話することができる。処理は、判定ブロック６５５に移る。
【００４２】
判定ブロック６５５で、ユーザが補助ディスプレイからイベント識別子を棄却したかどうかが判定される。ユーザがイベント識別子を棄却した場合、プロセスは終了ブロック６９５で終了する。ユーザがイベント識別子を棄却していない場合、プロセスは、判定ブロック６６０に進む。
【００４３】
判定ブロック６６０で、ユーザが通信デバイスを開いたかどうかの判定が行われる。ユーザがデバイスを開いていない場合、処理は、終了ブロック６９５で終了する。ユーザが通信デバイスを開いている場合には、処理は、ブロック６７０に進む。
【００４４】
ブロック６７０で、補助ディスプレイに表示された内容に関連するアプリケーションが主要ディスプレイで起動される。例えば、補助ディスプレイが日程の注意喚起に関連付けられた内容を含む場合は、通信デバイスが開かれると日程のアプリケーションが主要ディスプレイで起動される。日程アプリケーションは、主要画面に表示されると、補助ディスプレイには表示されない日程注意喚起についての追加的な情報と機能を提供する。処理は、ブロック６８０に進む。
【００４５】
ブロック６８０で、ユーザは、主要ディスプレイに関連付けられたハードウェアを使用して、主要ディスプレイに表示された内容と対話する。一実施形態では、このハードウェアには、通信デバイスのソフトキーに関連付けられたボタンが含まれる。ユーザは、このボタンを操作して、主要ディスプレイで起動されたアプリケーションと対話する。処理は、判定ブロック６９０に進む。
【００４６】
ブロック６９０で、主要ディスプレイに表示された内容に関連する情報が補助ディスプレイに表示される。例えば、主要ディスプレイに表示された内容が音楽の再生リストである場合、補助ディスプレイに表示される関連する情報には、現在再生中の歌と再生リストのタイトルが含まれることができる。処理は、終了ブロック６９５で終了する。
【００４７】
上記の詳細な説明、例示、およびデータは、本発明の構成の作製と使用についての完全な説明を提供する。本発明の主旨および範囲から逸脱せずに本発明の多くの実施形態を作成することができるので、本発明は、付加された特許請求の範囲に存する。
【図面の簡単な説明】
【００４８】
【図１】本発明を実施する例示的な通信デバイスの実施形態を示す機能ブロック図である。
【図２】本発明による、通信デバイスの補助ディスプレイと主要ディスプレイ間でシナリオを同期するシステムの例示的機能ブロック図である。
【図３】本発明による、日程注意喚起プリケーションのシナリオ同期に関する通信デバイスの例示的な補助ディスプレイと例示的な主要ディスプレイとを示す図である。
【図４】本発明による、音楽アプリケーションのシナリオ同期に関する通信デバイスの例示的な補助ディスプレイと主要ディスプレイとを示す図である。
【図５】本発明による、カメラアプリケーションのシナリオ同期に関する通信デバイスの例示的な補助ディスプレイと主要ディスプレイとを示す図である。
【図６】本発明による、通信デバイスの主要ディスプレイと補助ディスプレイ間でシナリオを同期するプロセスを説明する動作流れ図である。
【符号の説明】
【００４９】
１０２  プロセッサ
１０４  メモリ
１０６  ディスプレイ
１０８  キーパッド
１１０  オペレーティングシステム
１１２  アプリケーション
１１４  ストレージ
１１６  電源
１１８  ＬＥＤ
１２０  オーディオインタフェース
１２２  無線インタフェース層
２００  通信デバイス
２１０  補助ディスプレイ
２２０  主要ディスプレイ
２３０、２４０  ハードウェアボタン
２５０  プロセッサ
２６０  メモリ
２７０  ストレージ
２８０  アプリケーション
２９０  オペレーティングシステム
３００  通信デバイス
３１０  補助ディスプレイ
３２０  通知トレー
３３０  ステータステキスト
３４０  主要ディスプレイ
３５０  通知トレー
３６０  ステータステキスト
４００，４１０，４２０，４３０，４５０，４７０  補助ディスプレイの場面
４４０，４６０  主要ディスプレイの場面
４０２，４１２，４２２，４３２，４３４、４３６，ハードウェアボタン
４５２，４５４，４５６，４７２，４７４，４７６  ハードウェアボタン
５００，５１０，５２０，５３０，５５０  補助ディスプレイの場面
５４０  主要ディスプレイの場面
５０２，５１２，５２２，５３２，５３４  ハードウェアボタン
５３６，５５２，５５４，５５６  ハードウェアボタン
５４２  メニューソフトキー
-
【図１】
2005295549.tif 000003
【図２】
2005295549.tif 000004
【図３】
2005295549.tif 000005
【図４】
2005295549.tif 000006
【図５】
2005295549.tif 000007
【図６】
2005295549.tif 000008
【外国語明細書】
2005295549000001.pdf